(57)【要約】【課題】契約なしで広告を出す機会を提供することである。広告専用のロッカーがあってもいいという考えと場所をとらない薄型であること。【解決手段】戸は二重構造で、表側は透明である。プリンタの給紙ローラならぬ排出ローラで広告紙を一定時間後にロッカー内に運び去ること。コインを入れると鍵は解除され、戸を押して閉めると自然に鍵がかかること。【選択図】「図１」
2005092170.tif 000002
【特許請求の範囲】
【請求項１】
排出ローラなる機能と透明な戸を有する仕切り小戸棚で、用紙をロッカーの二重の戸に差し込んで広告を専用とし、モータとタイマーがあることにより一定時間後には広告紙が自動的にロッカー内部に撤去される有料ロッカー。
【発明の詳細な説明】
【技術分野】
【０００１】    コインロッカー内の紙を撤去する部分と戸の構造に関する。
【背景技術】
【０００２】    荷物用のロッカーはあったけれど、広告戸棚はみかけない。電車内、駅のホーム、街の電飾、デパートの掲示板等はあっても、手続きなしで気軽に使える広告場所はなかった。プリンタの技術は本発明のなかに使えるし、また鍵部分と蝶番のところは荷物用のロッカーが背景である。
【発明の開示】
【発明が解決しようとする課題】
【０００３】    隠れ家的存在の店は別として、手続きなしで広告を出して商売をしたいときのために、本発明のロッカーが機会を提供することになる。特に、商店や飲食店は商品の説明や特売や価格表示の場として使える。また、催し物の予告をしたりする。さらなる活用として、生産者が買い手を見つけたいときとか。お金を入れるだけで、契約なしで掲載できる。【０００４】透明な戸に広告紙を入れることで、情報の効果があり地域の活性化につながる。広告紙はパソコンを役立てれば作成できる。あるいは、鉛筆とクレヨンでも作れる。本発明の目的は、広告を出す機会を提供することである。地方の街は、空洞化が進んで旧市街そして駅周辺に活気がない。とりあえず対策として、各店の案内とか商品及び価格の提示とかイベントの説明とかで消費者の気を引く。消費者は多種多様の商品に魅せられて、いつかは買いに行きたいと思う。そう思わせるために、５列７行くらいのロッカーを用意する。使用状況を見て二つにすれば１０列７行となる。利用方法はお金を入れるだけであるから簡単である。ロッカー使用者は、宣伝を出して需要者を求めるばかりでなく、供給者を探したりもできる。発明が解決しようとする課題は、コインロッカーの戸において表は透明であること、そしてロッカー内に紙を撤去するローラがあって紙を戸のところからロッカー内に運び出す機能を持つことである。よって、手続きも使用超過の取り締まりも不要ということである。【０００５】要するに（図１）の二日で百円ロッカーなるものを考え、公共性の高い所に設置して、収益を上げるのが目的ではなく、生活者は要求を掲示したり、店側は場所あるいは商品を知らせたりして、人や客を呼び、街らしい賑わいを取り戻すことを狙いとしている。車社会によって郊外発展をもたらしたので、打ち勝つにはウインドショッピングの魅力と雑多な様子を見て生じる好奇心に頼るしかない。好奇心をかきたてられるとしたら、際まで行けない不便さや買い物を運ぶ手段が手は勿論手軽な荷車かタクシーであることを承知してでも出かけるかもしれない。【０００６】例えば駅に設置したとし、駅周辺が栄えれば電車の利用客は増え、電車の時刻に行動が制限される故にあいた時間でウインドショッピングをするか広告コインロッカーを見てくれる。化粧品店やパチンコ店は固定客に情報を知らせたりして、将来の販売は期待できる。店内案内なら、つまり店内に設置した場合、客は多くの店と多くの商品に気づく。望みの品がまにあうかどうかを知る。大型店撤退後の一坪ショップについても本発明は応用できる。階段の踊り場付近に設け、日用品ばかりでなく、絵画用品みたいに特種品を知ってもらったり、専門家が求める特異店に気付いてもらったりする。フロアはゆっくり歩かせるために、ジグザグに通路を作りのんびりウインドショッピングをさせるようになっている場合、公告コインロッカーは客にとっても店側にとっても有効である。客は探し物ができ、店は特価や仕入れを告げられる。【０００７】整然と立派にした街は特徴がなく、一様に見えて飽きてしまう。混沌としてわけが分からない街あるいはビル内の方が飽きない。しかも、雑多ではあるが全体として多様性に富むことで、買い揃えられる。次回に買い求める品��食を考える。公告コインロッカーで時間にゆとりのある人を呼び集めるのである。一般に自発的に広告を見ることは少ない。人は興味のあるものしか見ないからである。待ち時間などの暇でどうしょうもないとき必然的に目に入るような場所を考え、多くの広告を載せることで将来満足できそうなものがあると人に気付いてもらう。公告コインロッカーは満足感であるという先入観を持ってもらう。戸は透明で、広告紙は時間が来たら自動的に撤去されなければならない。広告料は、頻繁に出せるくらい安価にしたい。
【課題を解決するための手段】
【０００８】    （図１）斜視図において、取っ手のところは削って加工したもので半透明状態である。（図２）斜視図について、戸は前がポリカーボン板で後ろが２．０ミリ以下のボンデを加工した鉄製、この二重構造の隙間に公告紙が入る。公告紙が入るところの隙間は３．０ミリ。公告紙はＡ４以下とする。戸の大きさは横３３５ミリ、縦２２５ミリである。底に用紙止めのローラ（図３）断面図が付く。斜線部はボンデとポリカーボンであり、ポリカーボン側の下に用紙が挟まらないようにブラシ状の毛羽立った樹脂が幅５ミリで長さ２２０ミリとなって貼られる。用紙止めローラは先導ローラでもあり、（図４）底面図は、φ２．６ミリの金属棒に摩擦が大きいもの例えばゴム等をコーティングしたローラ。この先導ローラは広告紙の落下防止と紙の排出を兼ねている。先導ローラの両端はベアリングで軸受けをし、ベアリングカバーで固定することは可能であろうが、ボンデの穴に筒状のプラスチックをはめて軸受けとする。先導ローラの径は３．０ミリから４．０ミリで長さは２９０ミリくらいである。ボンデを折り曲げた上のところに光センサーと発光ダイオードでもあれば最高であるが、設置は外灯や室内の照明があって夜間でも明るいことを前提にしてある。【０００９】（図５）斜視図は、ロッカーの底を描いたもので、穴は水抜きを示し、盛り上がりは抵抗を減らして紙が順調にすべるようにした。（図６）においてロッカーの側面を現し、ローラと戸の位置関係である。メインローラと圧着ローラは部材が硬質ゴムである。（図７）と（図８）は圧着ローラの仕組みを示したもの。（図９）部分図はメインローラの構造と巻き込み防止の部品である。紙はメインローラと圧着ローラの間を通って行く。メインローラはモータと連動して４８時間後に動き、（図５）で示す下端の弧を伝わって公告紙を運び上げる。タイマーでリレー回路のスイッチが入って、電源９［ｖ］を供給するとモータは作動する。【０００１０】（図１０）部分図は戸の支えであり、本来のコインロッカーの要領と同じである。ボンデに蝶番を付けた略図。タイマーが４８時間をさすとモータが回ってローラが回る時間は（図１１）の部品が決める。紙をせり上げる時間はメインローラの回転数と（図１１）の機械的なスイッチにする。戸を開けたら歯車は一こま動いて閉めたら一こま戻るなんてことはないだろうから、メインローラが７週すれば紙は余裕で圧着ローラの上に上がるくらい回転数に遊びは取ってある。しかも、歯車が一こまぐらい動いてもレバーは以前の位置あたりであれば良い。何故なら、開けたときや閉めたとき（図１１）のスイッチがずれても、モータが次に動くのは紙を排出するときでタイマーが優先にしてあるから（図１１）のＯＮやＯＦＦ状態は関係なくモータは動かないことになっている。幾多も回ってずれが生じ、歯車の出っ張りがまるっきり下まで行くのは考えにくい。使用されるごとに７週に修正されるからである。歯車を支えるアングルの取り付け位置が狂ってもいいように、（図１４）斜視図で歯車の高さは微調整できる。紙を絶縁体と考え電気を利用したもっといい考えがありそうだが、メインローラの車軸を利用することにした。メインローラが７回転したとき、紙全部を上げて圧着ローラの上まで持って行くとする。スイッチのレバーに歯車の出っ張りが来ると、レバーは上がりＯＮになってリレー回路に信号を送り、モータに供給する電源は切れる。ＯＮ状態でモータの電源は切れたままであるが、タイマーがリセットされると他のリレーが働いて４８時間後に電源は入る。メインローラが回るとスイッチ側のリレーは戻り、再びレバーが上がるとモータの電源は切れる。歯車とスイッチはボンデの裏側に付けたピースで支える。メインローラの車軸中央に歯車を回す棒付きの部品がはまる。（図１２）斜視図はタイマーのリセットボタンで、戸を開けるとボンデに押されていたボタンは上がりＯＦＦになる。押しボタン式のスイッチは左端にあって、閉めるとボタンは戸に押されてへこみＯＮになる。導線はタイマーの回路へ行く。マイコン制御の方が回転数にしろ時間にしろ簡単な回路になるであろう。本発明の趣旨は、紙を排出するローラ部と戸の構造である。（図１３）はロッカー内のモータとローラを現す全体図である。右側の圧着ローラは左側より小さ目となる。（図１１）で、スイッチのレバーは歯車の出っ張りの下に潜り込まないように、レバーの先は弧を成す。（図１５）斜視図は戸の後方から見た図である。
【発明の効果】
【０００１１】      本発明は画鋲とかセロハンテープとかで止める煩わしさがない。一望できる広いところでない限り、広告は高いところより小さくても目の高さあたりより低い方が何倍も効果的である。本発明で情報は豊かになって、購買欲をそそられたり、販売経路を見つけられたりして、ついては街の活性化は図られるかもしれない。大型店と路地裏の店があることで、一方が飽きたら他方へ行き相乗効果があって共存共栄できる。案内役としてビル内に置き、輸送会社とかホテルは予約客を募ることができる。狭い路地裏でも、需要者と供給者の希望や要求を掲示すれば物々交換の窓口となる。【０００１２】車は際まで行けて荷を積めて時間に制約されないといった便利さはある。しかし、暇な日や時間を持つ高齢者は、街なかで食事をしてウインドショッピングを楽しんで一日を過ごせる。買い物計画もたてられる。【０００１３】さらに、広告紙が入るロッカーなので当然薄い物となり場所はとらない。パソコンの液晶画面を幾つも並べて電子広告塔も考えられるが、静止画面でいいわけだから紙で充分である。
【発明を実施するための最良の形態】
【０００１４】    （図１）のロッカーが駅やビル内や街角や人通りの多い路に在って、各店が宣伝しようと思うことを用紙に書いてロッカーに入れる。手順は，百円硬貨を入れると錠前は解除され戸は開けることができる。開けたときタイマーはリセットされる。（図１１）のレバーは上がってモータの電源は切れているが別の回路で４８時間後に流れる。広告を差して戸を閉めると鍵は自然にかかるようになっている。従って、広告中は盗られることはない。４８時間後に公告紙は戸の隙間からロッカー内へ運び出される。そして、ロッカー内で保管されたままとなる。次の人が百円を入れると戸の鍵は解除される。ちゃんと閉めない場合、警報が鳴るようなことはせず良心に任せることになる。
【実施例】
【０００１５】    もし利用者が同時に殺到したとき、４８時間後にモータは電圧降下で動かない心配がある。モータは同時でも動くように、ロッカーの行ごとに電源を設けるか、安定器を考慮する。コインを入れると鍵が開く仕掛けおよび戸を閉めると鍵がかかる仕掛け、これらは省略。
【産業上の利用可能性】
【０００１６】    技術的なものはないが、生活への影響を期待している。
【図面の簡単な説明】
【図１】斜視図  有料掲示板で７段５列を現す。奥行きつまり厚さは１３５ミリ程度である。
【図２】斜視図  ロッカーの戸であり、表側がポリカーボンの板、裏側がボンデを加工した物、下に用紙止めのローラと繊毛状の樹脂がある。
【図３】断面図  戸の下にあるローラとポリカーボンに貼り付けた樹脂。
【図４】底面図  ボンデ、ローラ、ポリカーボンの位置関係。
【図５】斜視図  ロッカーの底の様子。穴は水抜き、盛り上がりは摩擦を小さくするため。
【図６】側面図  戸を閉めたときの状態を現す。紙はｇとｈの間を通り、底で曲げられて、ｇとｉの間を通ってせり上がる。
【図７】側面図  ｉの圧着ローラを正面から見た図である。
【図８】部分図  圧着ローラの仕掛けと折り曲げたボンデの図。圧着ローラを後ろから見た概念図。
【図９】部分図  ｇのメインローラと紙を巻き込まないようにした部品、部品はゴムか樹脂。部品の切れ目はボンデの厚みで、ボンデに差し込んでビス止めとなる。
【図１０】部分図  戸の裏側であるボンデと蝶番はボルトとナットで止まっている。
【図１１】斜視図  紙を送る時間を決定させる方法である。メインローラが７回まわると歯車は７こま動く。
【図１２】斜視図  タイマーをリセットさせるために、戸の端がスイッチを押すとタイマー回路に信号を送ることができる。
【図１３】斜視図  モータの位置やローラの大きさや形を示しながらロッカー全体の様子を把握できるようにした。
【図１４】斜視図  歯車の高さはナットで微調整できる。
【図１５】斜視図  戸の裏側の図であり、スイッチのレバーと歯車を現す。レバーの先は弧を描く。
【図１】
2005092170.tif 000003
【図２】
2005092170.tif 000004
【図３】
2005092170.tif 000005
【図４】
2005092170.tif 000006
【図５】
2005092170.tif 000007
【図６】
2005092170.tif 000008
【図７】
2005092170.tif 000009
【図８】
2005092170.tif 000010
【図９】
2005092170.tif 000011
【図１０】
2005092170.tif 000012
【図１１】
2005092170.tif 000013
【図１２】
2005092170.tif 000014
【図１３】
2005092170.tif 000015
【図１４】
2005092170.tif 000016
【図１５】
2005092170.tif 000017